(57)【要約】      （修正有）【課題】ランキングが好順位となるであろう楽曲の特定を可能とし、利用者に推奨することでカラオケ利用の促進を図るカラオケシステムを提供する。【解決手段】カラオケ端末１１において採点手段２８で利用者による歌唱に対する歌唱採点値を算出し、採点情報送信手段３２が利用者ＩＤ、歌唱採点値、歌唱した楽曲のＩＤをサーバ６２に送信し、サーバ６２において所定期間内で取得した楽曲ＩＤ、歌唱採点値で楽曲別のランキングデータを取得の度に作成し、利用者ＩＤに基づき当該利用者の歌唱経験のある一部又は全部の楽曲及びその歌唱採点値を抽出し、抽出した楽曲のうち、当該利用者の歌唱採点値と当該楽曲についてのランキングデータにおける最高位から所定件数分に応じた歌唱採点値とに基づいて所定の条件を満たす楽曲を特定し、推奨楽曲として利用者に報知する構成とする。【選択図】図１
2015187670.tif 000002
【特許請求の範囲】
【請求項１】
サーバと複数のカラオケ端末とが通信自在に接続され、当該複数のカラオケ端末において歌唱採点値の順位を競うゲームに参加する利用者による歌唱の歌唱採点値を、所定期間内で楽曲別に順次集計して順位を算出し、当該順位を歌唱採点値と共に当該利用者に報知する通信カラオケシステムであって、
前記カラオケ端末は、
少なくとも前記利用者よりログイン時に利用者ＩＤを取得するログイン・ログアウト処理手段と、
前記利用者による歌唱に対する歌唱採点値を算出する採点手段と、
少なくとも歌唱した楽曲の楽曲ＩＤと共に前記算出された歌唱採点値を前記サーバに送信する採点情報送信手段と、
前記サーバより楽曲情報を取得する楽曲情報取得手段と、
前記利用者に所定情報を報知する報知手段と、
を少なくとも有し、
前記サーバは、
利用者別に、少なくとも歌唱日、歌唱した楽曲の楽曲ＩＤ、歌唱採点値の歌唱履歴を記憶する利用者データベースと、
前記カラオケ端末より少なくとも前記利用者の利用者ＩＤ、歌唱日、楽曲ＩＤ、歌唱採点値を取得する利用者情報取得手段と、
前記所定期間内で、前記楽曲ＩＤ、歌唱採点値の取得の度に楽曲別のランキングデータを作成するランキングデータ作成手段と、
前記利用者ＩＤに基づいて前記利用者データベースの歌唱履歴より歌唱経験のある一部又は全部の楽曲及びその歌唱採点値を抽出し、抽出した楽曲のうち、当該利用者の歌唱採点値と当該楽曲についての前記ランキングデータにおける最高位から所定件数分に応じた歌唱採点値とに基づいて所定の条件を満たす楽曲を特定する楽曲特定手段と、
を少なくとも有し、
前記カラオケ端末の楽曲情報取得手段が前記サーバで特定した楽曲を取得し、前記報知手段が、取得した楽曲を推奨楽曲として前記利用者に報知することを特徴とするカラオケシステム。
【請求項２】
請求項１記載のカラオケシステムであって、前記サーバの楽曲特定手段は、前記楽曲の抽出を、直近の所定期間に前記利用者により歌唱された楽曲を対象とすることを特徴とするカラオケシステム。
【請求項３】
請求項１又は２記載のカラオケシステムであって、前記サーバの楽曲特定手段は、前記条件を、対応楽曲の前記ランキングデータにおける最高位から所定件数分に応じた歌唱採点値の平均値又は最高位から所定件数分に応じた所定順位の歌唱採点値に対する前記抽出した利用者の歌唱採点値未満若しくは以下として楽曲を特定することを特徴とするカラオケシステム。
【請求項４】
請求項１ないし３記載の少なくとも何れかに記載のカラオケシステムであって、
前記カラオケ端末の報知手段は、前記サーバで特定した楽曲を、前記利用者が前記カラオケ端末にログインした時または前記利用者の歌唱の合間に報知することを特徴とするカラオケシステム。
【請求項５】
請求項１ないし３記載の少なくとも何れかに記載のカラオケシステムであって、
前記サーバは、カラオケ歌唱対象の楽曲を記憶する楽曲データベースを備えると共に、前記利用者の所持する携帯端末と通信自在とする携帯端末送受信手段を備え、前記利用者データベースには、各利用者の所持する携帯端末の送信先が記憶され、
前記楽曲特定手段が特定した楽曲に基づいて前記楽曲データベースを参照しての楽曲名を抽出し、前記携帯端末送受信手段が当該楽曲名を推奨楽曲として前記携帯端末に送信することを特徴とするカラオケシステム。
【発明の詳細な説明】
【技術分野】
【０００１】
本発明は、カラオケ利用者の歌唱採点に対するランキング表示を行うカラオケシステムに関する。
【背景技術】
【０００２】
近年、カラオケ機器の高機能化により利用者に対する種々のサービスの提供が可能となってきており、利用者の嗜好に合った楽曲を推奨したり、利用者に歌唱採点値でのランキングを表示することも一般的になってきている。ランキング表示は、楽曲毎に各利用者の歌唱採点値で全国レベルのランキングを作成して常時更新し、利用者に自己歌唱のランキングを提示してその時点での全国順位を知らせるというもので、通常の歌唱採点以上の楽しみやモチベーションを得ることができるというものである。このようなコンテンツを利用する利用者としてはランキングの好順位を望むものであり、この要望に応えられるサービス提供が望まれる。
【０００３】
従来、ランキングの算出や表示に関しては、例えば特許文献１に開示されているような、通信カラオケシステムのコンピュータ・ネットワーク資源を有効に活用し、常連の顧客のカラオケ利用状況を収集して分析し、システム運営者に有用なトレンド情報を得たり、利用状況に応じた顧客サービスを提供したりする技術が知られており、その一例として都道府県別最高得点ランキングリストが紹介されている。
【０００４】
また、特許文献２に記載されているように、通信カラオケシステムの利用者の歌唱時点での歌唱力を全国規模で正確に比較・評価する技術も知られている。さらには、特許文献３に記載されているように、利用者の順位と電子メールアドレスとを記憶し、その利用者の順位が変化した場合には電子メールで知らせるという技術が知られており、利用者の歌唱意欲を向上させるという役割にもなっている。
【０００５】
一方、利用者が限られたカラオケルーム利用時間の中で歌唱楽曲を選択、予約するのに時間がかかってしまったり、新しく歌唱する楽曲を適切に選択するのが意外と難しかったりするという課題を解決するために、利用者の歌唱履歴やヒット曲情報などを元に、カラオケルームにログインした時や歌唱の合間に、利用者の嗜好にマッチした楽曲を勧めるメッセージをディスプレイ等に表示するという技術が多く知られており、例えば特許文献４には、標準偏差を用いた統計的手法により季節感のある推奨楽曲リストを自動的に作成し、時節に対応させてその楽曲情報を表示する技術が開示されている。
【先行技術文献】
【特許文献】
【０００６】
【特許文献１】特開平１０−０５５１８４号公報
【特許文献２】特開２００５−０９９２８８号公報
【特許文献３】特開２００６−０１８１５６号公報
【特許文献４】特開２００７−２６４４８６号公報
【発明の概要】
【発明が解決しようとする課題】
【０００７】
しかしながら、上記特許文献１，２に記載されているようなランキングの算出や表示に関する技術では、利用者の点数と順位が判明するのは自身の歌唱が終わってからであって、予想に反して高得点者が大勢いて順位の悪さに落胆することもある。ランキングは一定期間毎（例えば毎月末日の２４：００）にリセットされることから、月初めは好順位を取り易く、月末に近づくほど好順位は取り難くなるという傾向にあることはカラオケ利用者に広く知られており、月末に近づくほど歌唱意欲を削ぐことにもなり、一方で予約選曲時に最高得点や得点分布を通知したりすることも考えられるが、余計に歌唱意欲を削ぐことになる。
【０００８】
そこで、本発明は上記課題に鑑みなされたもので、ランキングが好順位となるであろう楽曲の特定を可能とし、利用者に推奨することでカラオケ利用の促進を図るカラオケシステムを提供することを目的とする。
【課題を解決するための手段】
【０００９】
上記課題を解決するために、請求項１の発明では、サーバと複数のカラオケ端末とが通信自在に接続され、当該複数のカラオケ端末において歌唱採点値の順位を競うゲームに参加する利用者による歌唱の歌唱採点値を、所定期間内で楽曲別に順次集計して順位を算出し、当該順位を歌唱採点値と共に当該利用者に報知する通信カラオケシステムであって、前記カラオケ端末は、少なくとも前記利用者よりログイン時に利用者ＩＤを取得するログイン・ログアウト処理手段と、前記利用者による歌唱に対する歌唱採点値を算出する採点手段と、少なくとも歌唱した楽曲の楽曲ＩＤと共に前記算出された歌唱採点値を前記サーバに送信する採点情報送信手段と、前記サーバより楽曲情報を取得する楽曲情報取得手段と、前記利用者に所定情報を報知する報知手段と、を少なくとも有し、前記サーバは、利用者別に、少なくとも歌唱日、歌唱した楽曲の楽曲ＩＤ、歌唱採点値の歌唱履歴を記憶する利用者データベースと、前記カラオケ端末より少なくとも前記利用者の利用者ＩＤ、歌唱日、楽曲ＩＤ、歌唱採点値を取得する利用者情報取得手段と、前記所定期間内で、前記楽曲ＩＤ、歌唱採点値の取得の度に楽曲別のランキングデータを作成するランキングデータ作成手段と、前記利用者ＩＤに基づいて前記利用者データベースの歌唱履歴より歌唱経験のある一部又は全部の楽曲及びその歌唱採点値を抽出し、抽出した楽曲のうち、当該利用者の歌唱採点値と当該楽曲についての前記ランキングデータにおける最高位から所定件数分に応じた歌唱採点値とに基づいて所定の条件を満たす楽曲を特定する楽曲特定手段と、を少なくとも有し、前記カラオケ端末の楽曲情報取得手段が前記サーバで特定した楽曲を取得し、前記報知手段が、取得した楽曲を推奨楽曲として前記利用者に報知する構成とする。
【００１０】
請求項２、３の発明では、「前記サーバの楽曲特定手段は、前記楽曲の抽出を、直近の所定期間に前記利用者により歌唱された楽曲を対象とする」構成であり、
「前記サーバの楽曲特定手段は、前記抽出した利用者の歌唱採点値から一の歌唱採点値を特定し、前記条件を、対応楽曲の前記ランキングデータにおける最高位から所定件数分に応じた歌唱採点値の平均値又は最高位から所定件数分に応じた所定順位の歌唱採点値に対する前記抽出した利用者の歌唱採点値未満若しくは以下として楽曲を特定する」構成である。
【００１１】
請求項４、５の発明では、「前記カラオケ端末の報知手段は、前記サーバで特定した楽曲を、前記利用者が前記カラオケ端末にログインした時または前記利用者の歌唱の合間に報知する」構成であり、
「前記サーバは、カラオケ歌唱対象の楽曲を記憶する楽曲データベースを備えると共に、前記利用者の所持する携帯端末と通信自在とする携帯端末送受信手段を備え、前記利用者データベースには、各利用者の所持する携帯端末の送信先が記憶され、前記楽曲特定手段が特定した楽曲に基づいて前記楽曲データベースを参照しての楽曲名を抽出し、前記携帯端末送受信手段が当該楽曲名を推奨楽曲として前記携帯端末に送信する」構成である。
【発明の効果】
【００１２】
本発明によれば、カラオケ端末が、利用者による歌唱に対して算出した歌唱採点値、歌唱楽曲の楽曲ＩＤ及び当該利用者の利用者ＩＤをサーバに送信し、サーバが、所定期間内で、各カラオケ端末より取得した楽曲ＩＤ、歌唱採点値で楽曲別のランキングデータを取得の度に作成し、利用者ＩＤに基づき当該利用者の歌唱経験のある一部又は全部の楽曲及びその歌唱採点値を抽出し、抽出した楽曲のうち、当該利用者の歌唱採点値と当該楽曲についてのランキングデータにおける最高位から所定件数分に応じた歌唱採点値とに基づいて所定の条件を満たす楽曲を特定し、当該楽曲を推奨楽曲として利用者に報知する構成とすることにより、サーバにおいてランキングの好順位となるであろう楽曲を特定することができ、この楽曲を推奨楽曲として利用者に報知することでカラオケ利用の促進を図ることができるものである。
【図面の簡単な説明】
【００１３】
【図１】本発明に係るカラオケ端末のブロック構成図である。
【図２】本発明に係るサーバの構成説明図である。
【図３】図２の利用者ＤＢ及びランキングＤＢの説明図である。
【図４】図１のカラオケ端末におけるランキング処理に関するフローチャート及び表示形態の説明図である。
【図５】図２のサーバにおけるランキングデータ作成処理の説明図である。
【図６】図２のサーバにおける楽曲特定処理の説明図である。
【図７】図６の処理説明図である。
【図８】カラオケ端末における推奨楽曲報知の説明図である。
【発明を実施するための形態】
【００１４】
以下、本発明の実施形態を図により説明する。この実施形態での「利用者」とは、カラオケ端末にログインし、楽曲選曲時に歌唱採点値を競うゲームに参加する者として説明する。
【００１５】
図１に、本発明に係るカラオケ端末のブロック構成図を示す。本発明は、複数のカラオケ端末とサーバとによりカラオケシステムが構成される。図１において、各カラオケ端末１１は、主要装置としてのカラオケ本体１２に、有線又は無線で外部接続されるものとして、表示部１３、ミキシングアンプ１４、マイク１５、スピーカ１６、遠隔入出力装置１７が接続される。
【００１６】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００１７】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、選曲楽曲登録手段１７Ｂ及び端末表示手段１７Ｃを適宜備える。
【００１８】
上記ログイン・ログアウト処理手段１７Ａは、利用者によるログイン操作に応じて当該利用者より利用者ＩＤを取得してログインを許可し、当該利用者ＩＤを後述のカラオケ本体１２のＲＡＭ２３の利用者情報４２の記憶領域に記憶し、当該利用者ＩＤを後述のランキングデータ、推奨楽曲となる楽曲ＩＤを要求するコマンドと共にサーバ６２に送出する処理を行うと共に、ログアウト操作に応じて利用終了の処理を行うプログラムである。
【００１９】
選曲楽曲登録手段１７Ｂは楽曲を検索させ、選曲させるテーブルを備えるプログラムであり、選曲時に後述の歌唱採点値を競うゲームに参加する意思表示のランキング参加ボタンが設けられ、ランキング参加の意思表示と共に選曲させ、選曲された楽曲は、後述のカラオケ本体１２における予約待ち行列（４１）に登録される。上記端末表示手段１７Ｃは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２０】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７Ａ，２７Ｂ、採点手段２８、Ａ／Ｄ変換部２９、記憶部３０、ランキングデータ取得手段３１、採点情報送信手段３２、ランキング特定手段３３、楽曲情報取得手段３４及び報知手段３５を備える。上記ＲＡＭ２３には予約待ち行列４１、利用者情報４２、ランキングデータ４３及び推奨楽曲情報４４の記憶領域が形成され、記憶部３０には、楽曲ＤＢ５１及び映像ＤＢ５２が記憶される。なお、上記各構成について、本発明の要旨と直接関連しない要素部分であっても、従前のカラオケシステムにおいても大部分が適用可能であることを示すために、構成要素の全体を説明する。
【００２１】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２、ランキングデータ４３及び推奨楽曲情報４４の記憶領域が形成される他に、上記種々のプログラムを展開、実行させるための作業領域としての役割をなすもので、例えば半導体メモリで構成され、仮想的にハードディスク上に構築される場合をも含む概念である。
【００２２】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。
【００２３】
上記送受信部２７Ａは、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２７Ｂは、カラオケ本体１２とサーバ６２とが通信ネットワーク６１を介してデータ授受を行うための物理的な通信用回路やプラットフォーム等のソフトウエアにより構成されるものである。
【００２４】
上記採点手段２８は、楽曲歌唱に対して楽曲の所定の歌唱区間毎に歌唱音声を分析して採点するもので、マイク１５からの音声信号がミキシングアンプ１４をスルーしてＡ／Ｄ変換部２９でデジタル変換された音声信号に対して楽曲データに含まれる歌唱採点するためのリファレンスデータに基づいて採点処理を行うプログラムである。具体的には、例えば特許第４２２２９１５号公報に記載されている手法を用いることができる。採点手段２８で処理された採点値は、ＲＡＭ２３の利用者情報４２に歌唱履歴として、利用者ＩＤ、楽曲ＩＤに関連付けられて記憶される。また、歌唱区間毎の採点値は、その区間までの途中採点値として、ランキングの途中順位を特定する場合に用いられる。
【００２５】
上記記憶部３０に記憶されている楽曲ＤＢ５１は、楽曲毎に、音符データ、歌詞データ、歌唱採点のためのリファレンスデータなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部３０に記憶されている映像ＤＢ５２は、楽曲毎に応じた背景映像データについて楽曲ＩＤをファイル名としてそれぞれ格納したデータベースである。
【００２６】
上記ランキングデータ取得手段３１は、所定のタイミング、例えば利用者が楽曲を選曲して上記予約待ち行列４１に登録した時に、サーバ６２に対して当該選曲楽曲の楽曲ＩＤについてのランキングデータを要求して取得するプログラムである。上記採点情報送信手段３２は、ＲＡＭ２３の利用者情報４２に記憶されている当該利用者の歌唱後に算出された歌唱採点値を歌唱した楽曲の楽曲ＩＤと共に利用者ＩＤに関連付けて送信するプログラムである。
【００２７】
上記ランキング特定手段３３は、歌唱中に歌唱区間毎に算出された歌唱採点値に基づいてＲＡＭ２３に記憶されているランキングデータ４３を参照して途中順位を特定して表示部１３や遠隔入出力装置１７の端末表示手段１７Ｃに表示するプログラムである。上記楽曲情報取得手段３４は、サーバ６２より楽曲情報を取得するプログラムであり、当該楽曲情報は後述のサーバ６２の楽曲特定手段７７で特定したランキングで好順位となるであろう楽曲（楽曲ＩＤ）であり、所得した当該楽曲ＩＤに基づいて楽曲ＤＢ５１より楽曲名を抽出してＲＡＭ２３に推奨楽曲情報４４として記憶する。なお、サーバ６２において特定した楽曲ＩＤで楽曲名を抽出するとした場合においては当該楽曲名を取得することとしてもよい。
【００２８】
上記報知手段３５は、利用者に所定情報を所定のタイミングで報知するプログラムであって、所定情報としてはＲＡＭ２３の推奨楽曲情報４４に記憶されている楽曲名等の推奨楽曲の情報であり、報知タイミングとしては利用者がカラオケ端末１１にログインした時又は利用者の歌唱の合間とする。
【００２９】
続いて、図２に本発明に係るサーバの構成説明図を示すと共に、図３に図２の利用者ＤＢ及びランキングＤＢの説明図を示す。まず、図２（Ａ）において、サーバ６２は、インターネットなどの通信ネットワーク６１を介して所定数のカラオケ端末１１（１１Ａ〜１１Ｎ）を管理し、当該各カラオケ端末１１に対する楽曲データの配信や各種データを送受する装置である。
【００３０】
サーバ６２は、図２（Ｂ）に示すように、少なくとも制御部７１、ネットワーク送受信部７２、携帯端末送受信手段としての携帯端末送受信部７３、記憶部７４、利用者情報取得手段７５、ランキングデータ作成手段７６、楽曲特定手段７７、利用者情報更新手段７８、利用者ＤＢ７９、ランキングＤＢ８０及び楽曲ＤＢ８１を備える。上記制御部７１は、当該サーバ６２を統括的に制御する物理的なＣＰＵであり、図示しないＲＯＭに格納されているプログラムを実行処理して統括的な処理を行う。
【００３１】
上記ネットワーク送受信部７２は、各カラオケ端末１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。上記携帯端末送受信部７３は、後述する楽曲特定手段７７で特定されて記憶部７４に記憶されている楽曲（楽曲名）を所定の利用者が所持するスマートホンなどの携帯端末に対して一方的に、また当該携帯端末からの推奨楽曲の要求を受信したときに送信するプログラムであり、一方的に送信する場合として、送信先の利用者が例えばプレミアム会員などとして予め定められ、当該利用者の送信アドレスを後述する利用者ＤＢ７９より特定して送信する。
【００３２】
上記記憶部７４は、種々のデータを記憶するメモリ等であり、少なくとも後述する楽曲特定手段７７で特定された楽曲の楽曲ＩＤや楽曲名を記憶する。上記利用者情報取得手段７５は、各カラオケ端末１１より利用者に関する利用者ＩＤ、歌唱楽曲（楽曲ＩＤ）、歌唱採点値を少なくとも取得するプログラムである。上記ランキングデータ作成手段７６は、所定期間内で、各カラオケ端末１１から楽曲ＩＤ、歌唱採点値の取得の度に楽曲別のランキングデータを作成して後述のランキングＤＢ８０に記憶するプログラムであり、所定期間は例えば月単位（初日から月末）で定められる。
【００３３】
上記楽曲特定手段７７は、利用者ＩＤに基づいて利用者ＤＢ７９の歌唱履歴より歌唱経験のある一部又は全部の楽曲及びその歌唱採点値を抽出し、抽出した楽曲のうち、当該利用者の歌唱採点値と当該楽曲について後述のランキングＤＢ８０より抽出したランキングデータにおける最高位から所定件数分に応じた歌唱採点値とに基づいて所定の条件を満たす楽曲を特定するプログラムである。
【００３４】
具体的には、上記楽曲の抽出については、直近の所定期間に当該利用者により歌唱採点値を争う歌唱であるか否かに拘わらずに歌唱された全楽曲を抽出対象とする。抽出条件としては、本実施形態では直近の所定期間（一例として現時点から３ヶ月以内）に当該利用者により所定回数以上歌唱された楽曲を対象として説明するが、歌唱採点値が最高点である楽曲を対象とし、又は当該歌唱採点値の平均値を算出して上位楽曲を対象とし、又は歌唱採点値が所定値以上である楽曲としてもよく、これらを適宜組み合わせた楽曲を対象としてもよい。
【００３５】
また、抽出した楽曲の当該利用者の歌唱採点値としては、本実施形態では平均値として説明するが、最高値の歌唱採点値としてもよい。すなわち、本発明における利用者の歌唱採点値とは、抽出した楽曲での複数の歌唱採点値の平均値を含む概念である。
【００３６】
なお、楽曲を特定する条件についての詳細は、図６及び図７で説明する。また、楽曲特定手段７７は、特定した楽曲の楽曲ＩＤに基づいて楽曲ＤＢ８１を参照して楽曲名を抽出し、記憶部７４に記憶することとしてもよい。
【００３７】
上記利用者情報更新手段７８は、各カラオケ端末１１より送られてくる利用者ＩＤに関連付けられた新たな歌唱履歴を含む利用者情報に基づいて利用者ＤＢ７９の該当情報を更新するプログラムである。
【００３８】
上記利用者ＤＢ７９は、図３（Ａ）に示すように、利用者の利用者ＩＤと属性情報とが関連付けられた顧客情報を格納する記憶装置である。その属性情報としては、図示しない氏名、住所等の他に、セカンドネーム、携帯端末のアドレスである携帯端末ＩＤ、当該利用者の歌唱履歴（利用日、利用時間、歌唱楽曲ＩＤ、歌唱採点等）などがある。
【００３９】
上記ランキングＤＢ８０は、図３（Ｂ）に示すように、上記ランキングデータ作成手段７６で作成された、歌唱楽曲ＩＤ毎の、上位１００件の採点値、利用者ＩＤ、セカンドネーム等が関連付けられたランキングデータを更新自在に記憶するデータベースである。上記楽曲ＤＢ８１は、複数の楽曲データを格納する記憶装置であり、カラオケ端末１１はこれと同じ楽曲ＤＢ５１を備えるもので、サーバ６２の楽曲ＤＢ８１が更新されれば、通信ネットワーク６１を介して各カラオケ端末１１の楽曲ＤＢ５１も更新されるものである。
【００４０】
ここで、図４に、図１のカラオケ端末におけるランキング処理に関するフローチャート及び表示形態の説明図を示す。図４（Ａ）において、まず、ログインした利用者により、遠隔入出力装置１７の楽曲選曲登録手段１７Ｂを用いて選曲された楽曲を、その際に利用者が選択した歌唱採点値を競うゲームへの参加（「ランキング参加」という）情報と共に受け付ける（ステップ１（Ｓ１））。例えば、図４（Ｂ）に示すように、遠隔入出力装置１７の端末表示手段１７Ｃで選曲対象の画面が表示され、当該画面上の「ランキング参加」ボタンＲＢが選択されて転送されることで、選曲者である利用者の歌唱楽曲及びランキング参加情報がカラオケ本体１２に送られる。
【００４１】
カラオケ本体１２では、選曲楽曲（楽曲ＩＤ、楽曲名）をランキング参加フラグと関連付けてＲＡＭ２３の予約待ち行列４１に登録すると共に、ランキングデータ取得手段３１がサーバ６２に対して当該楽曲（楽曲ＩＤ）のランキングデータを要求するコマンドを送信する（Ｓ２）。サーバ６２より送られてきた当該楽曲ＩＤのランキングデータをランキングデータ取得手段３１が取得してＲＡＭ２３のランキングデータ４３の記憶領域に記憶する（Ｓ３）。
【００４２】
歌唱が開始されると、採点手段２８が歌唱区間毎の歌唱採点処理を行い、ランキング特定手段３３が歌唱の終わった区間までの採点値をランキングデータ４３を参照しながら途中順位を特定して表示部１３ないし遠隔入出力装置１７の端末表示手段１７Ｃに表示する（Ｓ４）。なお、採点値がランキングデータの最低順位（上位１００件）の採点値に届かない場合には「圏外」と表示される。歌唱が終了すると、採点手段２８による最終的な歌唱採点値が算出され、当該歌唱採点値が歌唱した楽曲の楽曲ＩＤと共に利用者ＩＤに関連付けてＲＡＭ２３の利用者情報４２に記憶する（Ｓ５）。
【００４３】
そこで、採点情報送信手段３２が、利用者ＩＤに関連付けて歌唱した楽曲の楽曲ＩＤ及び歌唱採点値を当該歌唱採点値を反映させた最新のランキングデータを要求するコマンドと共にサーバ６２に送信する（Ｓ６）。そして、サーバ６２より送られてきた最新のランキングデータをランキングデータ取得手段３１が取得してＲＡＭ２３にランキングデータ４３として記憶し、当該歌唱者の最新順位を特定し、図４（Ｃ）に示すように、歌唱採点値及びランキング順位を報知手段３５で表示部１３ないし遠隔入出力装置１７の端末表示手段１７Ｃで表示するものである（Ｓ７）。
【００４４】
また、図５に、図２のサーバにおけるランキングデータ作成処理の説明図を示す。図５（Ａ）において、サーバ６２のランキングデータ作成処理の対象期間及び開始時刻が設定される（Ｓ１１）。この設定は、制御部７１に対してでもよく、ランキングデータ作成手段７６に対してでもよい。例えば、期間日時を月初日（１日）の０時（００：００）から月末日の２４時（２４：００）までの１ヶ月と設定する。
【００４５】
期間開始の日時（月初日の００：００）になると（Ｓ１２）、ランキングデータ作成手段７６は、ランキングＤＢ８０に記憶されているそれまでの楽曲ＩＤ別のランキングデータを総てリセットする（Ｓ１３）。そして、各カラオケ端末１１から順次送られてくる利用者ＩＤ、楽曲ＩＤ、歌唱採点値に基づいて楽曲ＩＤ毎のランキングデータを作成していくものである（Ｓ１４）。
【００４６】
ここで、図５（Ｂ）に示すように、利用者情報取得手段７５がカラオケ端末１１から利用者ＩＤ、楽曲ＩＤ、歌唱採点値を取得すると、利用者情報更新手段７８が利用者ＤＢ７９の歌唱履歴を更新すると共に、ランキングデータ作成手段７６が当該楽曲ＩＤのランキングデータを抽出する（Ｓ２１）。
【００４７】
そして、当該抽出した楽曲ＩＤのランキングデータに取得した歌唱採点値を反映させ、図５（Ｃ）に示すように、新たに上位１００件の採点値順としたランキングデータを作成してランキングＤＢ８０を更新し、当該楽曲ＩＤの最新のランキングデータを対応のカラオケ端末１１に送信するものである（Ｓ２２）。
【００４８】
そこで、図６に図２のサーバにおける楽曲特定処理の説明図を示すと共に、図７に図６の処理説明図を示す。図６（Ａ）において、利用者情報取得手段７５がカラオケ端末１１から送られてきた利用者ＩＤを含む利用者情報を取得すると（Ｓ３１）、楽曲特定手段７７が利用者ＤＢ７９を参照して、図７（Ａ）に示すような当該利用者ＩＤに関連付けられている歌唱履歴の楽曲ＩＤ及び歌唱採点値を抽出してリストを作成する（Ｓ３２）。
【００４９】
リスト中の直近の所定期間に歌唱された楽曲（楽曲ＩＤ）のうち、所定回数以上歌唱された楽曲を所定数限定し、限定された楽曲の各歌唱採点値での平均値が算出され、利用者の歌唱採点値Ｇとして関連付ける（Ｓ３３）。例えば、図７（Ａ）に示すように、月単位で直近の３ヶ月（８月から１０月）で歌唱された各楽曲の歌唱回数が算出され、例えば１０回以上歌唱された楽曲Ａ、Ｂ、Ｃを限定し、限定された楽曲に付帯されている各歌唱採点値の平均値が算出されて利用者の歌唱採点値Ｇ（図７（Ｂ）参照）として関連付けられる。
【００５０】
そして、上記限定された楽曲（楽曲ＩＤ）Ａ、Ｂ、ＣのランキングデータがランキングＤＢ８０よりそれぞれ読み込まれる（Ｓ３４）。そこで、図６（Ｂ）に示すように、抽出された楽曲ＩＤのランキングデータ毎に、各上位１００件について歌唱採点値の平均値Ｎｓを算出する（Ｓ４１）。例えば、図７（Ｂ）に示すように、楽曲Ａ、楽曲Ｂ、楽曲Ｃそれぞれの上位１００件のランキングデータの得点分布状態について、分析するためのそれぞれの平均値Ｎｓが算出される。
【００５１】
そして、ランキングの好順位が得られるであろう推奨楽曲の所定の条件を満たす楽曲を抽出する抽出条件を、上記算出した平均値Ｎｓに対応する利用者の歌唱採点値Ｇ未満（歌唱採点値Ｇ以下としてもよい）と設定し、歌唱採点値Ｇ未満の平均値Ｎｓに該当する楽曲を特定して記憶部７４に記憶する（Ｓ４２）。例えば、図７（Ｃ）に示すように、平均値Ｎｓが利用者の歌唱採点値Ｇ未満として楽曲Ｂと楽曲Ｃが推奨楽曲として特定され、今これらの楽曲を歌唱すればランキング圏内（１００位以内）に入れる可能性が高いことを知らせることができる。
【００５２】
一方、図６（Ｃ）に示すように、ランキングの好順位が得られるであろう推奨楽曲の抽出条件を、ある定めた順位Ｒを設定し（Ｓ５１）、当該順位Ｒの歌唱採点値Ｎｘが利用者の歌唱採点値Ｇ以下（歌唱採点値Ｇ未満でもよい）に該当する楽曲を特定して記憶部７４に記憶する（Ｓ５２）。例えば、図７（Ｄ）に示すように、順位Ｒを１位と設定すると、当該１位の歌唱採点値Ｎｘが利用者の歌唱採点値Ｇ以下である楽曲Ｃが推奨楽曲として特定され、今この楽曲を歌唱すれば１位を獲得できる可能性が楽曲Ａ、Ｂよりも高いことを知らせることができる。
【００５３】
また、順位Ｒを１０位と設定すると、当該１０位の歌唱採点値Ｎｘが利用者の歌唱採点値Ｇ以下である楽曲Ｂと楽曲Ｃが推奨楽曲として特定され、今これらの楽曲を歌唱すればベスト１０にランクインできる可能性が高いことを知らせることができる。なお、所定順位Ｒに同じ歌唱採点値Ｎｘが複数並んだ場合にも、適宜処理すればよい。
【００５４】
次に、図８に、カラオケ端末における推奨楽曲報知の説明図を示す。図８（Ａ）において、利用者により遠隔入出力装置１７を用いてログイン要求があると、ログイン・ログアウト処理手段１７Ａのログイン処理が開始され、利用者ＩＤの要求に対して当該利用者より利用者ＩＤを取得し（Ｓ６１）、サーバ６２に対して当該利用者ＩＤを上記楽曲特定手段７７が特定した楽曲ＩＤを要求するコマンドと共に送信する（Ｓ６２）。
【００５５】
サーバ６２では、特定手段７７が特定した楽曲（楽曲ＩＤ）は記憶部７４に記憶されており、記憶されている楽曲ＩＤを要求したカラオケ端末１１に送信することで、当該カラオケ端末１１の楽曲情報取得手段３４が取得した楽曲ＩＤに基づいて楽曲ＤＢ５１を参照してＲＡＭ２３の推奨楽曲情報４４として記憶し、報知手段３５が当該楽曲名を、図８（Ｃ）に示すように、遠隔入出力装置１７の端末表示手段１７Ｃ（表示部１３でもよい）で表示することで報知するものである（Ｓ６３）。
【００５６】
また、報知手段３５は、図８（Ｂ）に示すように、歌唱中か否かで（Ｓ７１）、歌唱されていない歌唱の合間で、ＲＡＭ２３の推奨楽曲情報４４に記憶されている楽曲名を、図８（Ｄ）に示すように、遠隔入出力装置１７の端末表示手段１７Ｃ（表示部１３でもよい）で表示することで報知するものである（Ｓ７２）。
【００５７】
一方、サーバ６２において、上記携帯端末送受信部７３が楽曲特定手段７７で特定楽曲ＩＤに基づいて楽曲ＤＢ８１を参照して抽出した楽曲名を、カラオケ端末１１を経由せず、歌唱採点値を競うゲームの参加者の携帯端末に直接配信してもよい。
【００５８】
例えば、プレミアム会員などとして予め定められた利用者毎に、所定のタイミングで、楽曲特定手段７７が上記の処理でそれぞれの推奨楽曲を特定し、その楽曲名を各利用者が所持するスマートホンなどの携帯端末に携帯端末送受信部７３より送信して報知することとしてもよい。また、サーバ６２の携帯端末送受信部７３が利用者から推奨楽曲の要求を受け付け、そのタイミングで楽曲特定手段７７が上記の処理で推奨楽曲を特定し、その楽曲名を携帯端末送受信部７３が当該利用者の携帯端末に配信してもよい。
【００５９】
なお、利用者に対する報知は、ログイン時の表示、歌唱の合間の表示、サーバによる携帯端末への送信の何れでもよく、また、適宜組み合わせで行ってもよいものである。
【００６０】
このように、サーバにおいてランキングの好順位となるであろう楽曲を特定することができ、この楽曲を推奨楽曲として利用者に報知することでカラオケ利用の促進を図ることができるものである。
【産業上の利用可能性】
【００６１】
本発明のカラオケシステムは、カラオケの基本的機能を備えるカラオケ端末の産業分野に利用可能である。
【符号の説明】
【００６２】
１１            カラオケ端末
１２            カラオケ本体
１７            遠隔入出力装置
２８            採点手段
３１            ランキングデータ取得手段
３２            採点情報送信手段
３３            ランキング特定手段
２４            楽曲情報取得手段
３５            報知手段
４３            ランキングデータ
４４            推奨楽曲情報
６１            通信ネットワーク
６２            サーバ
７２            ネットワーク送受信部
７３            携帯端末送受信部
７６            ランキングデータ作成手段
７７            楽曲特定手段
８０            ランキングＤＢ
８１            楽曲ＤＢ
【図１】
2015187670.tif 000003
【図２】
2015187670.tif 000004
【図３】
2015187670.tif 000005
【図４】
2015187670.tif 000006
【図５】
2015187670.tif 000007
【図６】
2015187670.tif 000008
【図７】
2015187670.tif 000009
【図８】
2015187670.tif 000010